(57)【要約】【課題】種類の異なる情報を出力させる情報出力装置の拡張性を向上させること。【解決手段】情報出力装置１０は、複数の情報処理手段１と、複数の情報処理手段１により生成された情報に基づいて、情報を出力装置６により出力させる出力処理手段２と、所定の画面構成情報が記憶された画面構成記憶部３ａを有する画面構成処理手段３と、を備えている。画面構成処理手段３は、出力装置６から出力させる情報を決定し、情報に対応する情報処理手段１に対して生成した情報を、出力処理手段２へ出力するように指示し、かつ、画面構成記憶部３ａに記憶された所定の画面構成情報に基づいて、情報が出力装置６により出力されるように、出力処理手段２に対して指示する。複数の情報処理手段１により出力される情報は、共通のインターフェイス部２ｄを介して、出力処理手段２に入力される。【選択図】図１
2007293609.tif 000002
【特許請求の範囲】
【請求項１】
相互に種類の異なる情報を生成する複数の情報処理手段と、
前記複数の情報処理手段により生成された前記種類の異なる情報に基づいて、該情報を出力装置により出力させる出力処理手段と、
前記情報が出力される画面を構成する為の所定の画面構成情報が記憶された画面構成記憶部を有する画面構成処理手段と、
を備える情報出力装置であって、
前記画面構成処理手段は、前記出力装置から出力させる情報を決定し、該情報に対応する前記情報処理手段に対して、前記生成した情報を、前記出力処理手段へ出力するように指示し、かつ、前記画面構成記憶部に記憶された前記所定の画面構成情報に基づいて、前記情報が前記出力装置により出力されるように、前記出力処理手段に対して指示し、
前記複数の情報処理手段により出力される前記情報は、共通のインターフェイス部を介して、前記出力処理手段に入力される、ことを特徴とする情報出力装置。
【請求項２】
請求項１記載の情報出力装置であって、
前記画面構成処理手段の前記画面構成記憶部に記憶された前記所定の画面構成情報は、前記情報処理手段により生成された前記情報が表示される前記画面のレイアウト情報を含む、ことを特徴とする情報出力装置。
【請求項３】
請求項１又は２記載の情報出力装置であって、
前記画面構成処理手段の前記画面構成記憶部には、前記所定の画面構成情報が、複数記憶されている、ことを特徴とする情報出力装置。
【請求項４】
請求項１乃至３のうちいずれか１項記載の情報出力装置であって、
前記画面構成処理手段は、前記出力装置より出力される画像情報が選択される画像選択部を更に有し、
前記画像選択部により前記選択された前記画像情報を、前記出力装置により出力させる情報として決定する、ことを特徴とする情報出力装置。
【請求項５】
請求項１乃至４のうちいずれか１項記載の情報出力装置であって、
前記出力装置は、前記画像情報を画面上に表示する表示装置である、ことを特徴とする情報出力装置。
【請求項６】
請求項１乃至４のうちいずれか１項記載の情報出力装置であって、
音を構成する為の所定の音構成情報が記憶された音構成記憶部を有する音構成処理手段を更に備え、
前記音構成処理手段は、前記出力装置から出力させる音情報を決定し、該音情報に対応する前記情報処理手段に対して、前記生成した情報を、前記出力処理手段へ出力するように指示し、かつ、前記音構成記憶部に記憶された前記所定の音構成情報に基づいて、前記情報が前記出力装置により出力されるように、前記出力処理手段に対して指示する、ことを特徴とする情報出力装置。
【請求項７】
相互に種類の異なる情報を生成する複数の情報処理手段と、
前記複数の情報処理手段により生成された前記種類の異なる情報に基づいて、該情報を出力装置により出力させる出力処理手段と、
音を構成する為の所定の音構成情報が記憶された音構成記憶部を有する音構成処理手段と、
を備える情報出力装置であって、
前記音構成処理手段は、前記出力装置から出力させる情報を決定し、該情報に対応する前記情報処理手段に対して、前記生成した情報を、前記出力処理手段へ出力するように指示し、かつ、前記音構成記憶部に記憶された前記所定の音構成情報に基づいて、前記情報が前記出力装置により出力されるように、前記出力処理手段に対して指示し、
前記複数の情報処理手段により出力される前記情報は、共通のインターフェイス部を介して、前記出力処理手段に入力される、ことを特徴とする情報出力装置。
【請求項８】
請求項７記載の情報出力装置であって、
前記音構成処理手段の前記音構成記憶部に記憶された前記所定の音構成情報は、出力される音の音質、出力される音の音量、及び出力される音の出力位置のうち、少なくとも１つを含む、ことを特徴とする情報出力装置。
【請求項９】
請求項７又は８記載の情報出力装置であって、
前記音構成処理手段の前記音構成記憶部には、前記所定の音構成情報が、複数記憶されている、ことを特徴とする情報出力装置。
【請求項１０】
請求項６乃至９のうちいずれか１項記載の情報出力装置であって、
前記音構成処理手段は、前記出力装置より出力させる音情報が選択される音選択部を更に有し、
前記音選択部により前記選択された前記音情報を、前記出力装置により出力させる情報として決定する、ことを特徴とする情報出力装置。
【請求項１１】
請求項６乃至９のうちいずれか１項記載の情報出力装置であって、
前記出力装置は、音を出力する音出力装置である、ことを特徴とする情報出力装置。
【請求項１２】
請求項６乃至１１のうちいずれか１項記載の情報出力装置であって、
前記出力処理手段は、前記複数の情報処理手段により生成された前記種類の異なる音情報及び画像情報に基づいて、音と画像とを同期させて前記出力する、ことを特徴とする情報出力装置。
【請求項１３】
請求項１乃至１２のうちいずれか１項記載の情報出力装置であって、
前記情報処理手段により生成される前記種類の異なる情報は、テレビ情報、ナビゲーション情報、ブラウザ情報、及び、メディアプレーヤ情報のうち、少なくとも１つを含む、ことを特徴とする情報出力装置。
【請求項１４】
請求項１乃至１３のうちいずれか１項記載の情報出力装置であって、
当該装置は、車両に搭載される、ことを特徴とする情報出力装置。
【発明の詳細な説明】
【技術分野】
【０００１】
本発明は、例えば、画像又は音声に対して所定の構成処理を行い、出力する情報出力装置に関する。
【背景技術】
【０００２】
従来、各種情報を表すオブジェクトを地図データ空間内に合成し、表示器により合成されたデータを表示する地図表示装置が知られている（例えば、特許文献１参照）。
【特許文献１】特開２００１−３３０４５１号公報
【発明の開示】
【発明が解決しようとする課題】
【０００３】
上記従来の地図表示装置において、地図データを合成することは可能である。しかしながら、地図データ以外の、例えば、メディアプレーヤ情報等の種類の異なる情報が合成される場合に、当該情報を処理するための新たな情報処理部が必要となる。この為、レイアウト等の画面の構成処理を行う画面構成処理部、及び当該画面を出力する出力処理部の変更が必要となり、拡張性が低下する虞がある。
【０００４】
本発明はこのような課題を解決するためのものであり、種類の異なる情報を出力させる情報出力装置の拡張性を向上させることを主たる目的とする。
【課題を解決するための手段】
【０００５】
上記目的を達成するための本発明の一態様は、
相互に種類の異なる情報を生成する複数の情報処理手段と、
前記複数の情報処理手段により生成された前記種類の異なる情報に基づいて、該情報を出力装置により出力させる出力処理手段と、
前記情報が出力される画面を構成する為の所定の画面構成情報が記憶された画面構成記憶部を有する画面構成処理手段と、
を備える情報出力装置であって、
前記画面構成処理手段は、前記出力装置から出力させる情報を決定し、該情報に対応する前記情報処理手段に対して、前記生成した情報を、前記出力処理手段へ出力するように指示し、かつ、前記画面構成記憶部に記憶された前記所定の画面構成情報に基づいて、前記情報が前記出力装置により出力されるように、前記出力処理手段に対して指示し、
前記複数の情報処理手段により出力される前記情報は、共通のインターフェイス部を介して、前記出力処理手段に入力される、ことを特徴とする情報出力装置である。
【０００６】
この一態様によれば、複数の情報処理手段により出力される情報は、共通のインターフェイス部を介して、出力処理手段に入力される。これにより、新たに画像を生成する情報処理部が当該装置に追加された場合でも、出力処理手段を変更する必要がない。したがって、種類の異なる情報を出力させる情報出力装置の拡張性を向上させることができる。
【０００７】
この一態様において、前記画面構成処理手段の前記画面構成記憶部に記憶された前記所定の画面構成情報は、前記情報処理手段により生成された前記情報が表示される前記画面のレイアウト情報を含む、こととしてもよい。これにより、所定のレイアウトで、情報処理部により生成された情報を画面上に表示させることができる。
【０００８】
この一態様において、前記画面構成処理手段の前記画面構成記憶部には、前記所定の画面構成情報が、複数記憶されていてもよい。これにより、複数の所定の画面構成情報の中から対応する情報が選択され、当該情報に基づいて、適切な画面が構成される。
【０００９】
この一態様において、前記画面構成処理手段は、前記出力装置より出力される画像情報が選択される画像選択部を更に有し、
前記画像選択部により前記選択された前記画像情報を、前記出力装置により出力させる情報として決定してもよい。これにより、ユーザは、出力装置により出力される画像情報を容易に選択することができる。
【００１０】
この一態様において、前記出力装置は、例えば、前記画像情報を画面上に表示する表示装置である。
【００１１】
この一態様において、音を構成する為の所定の音構成情報が記憶された音構成記憶部を有する音構成処理手段を更に備え、
前記音構成処理手段は、前記出力装置から出力させる音情報を決定し、該音情報に対応する前記情報処理手段に対して、前記生成した情報を、前記出力処理手段へ出力するように指示し、かつ、前記音構成記憶部に記憶された前記所定の音構成情報に基づいて、前記情報が前記出力装置により出力されるように、前記出力処理手段に対して指示してもよい。これにより、新たに音又は画像を生成する情報処理手段が当該装置に追加された場合でも、出力処理手段の変更する必要がない。
【００１２】
上記目的を達成するための本発明の一態様は、
相互に種類の異なる情報を生成する複数の情報処理手段と、
前記複数の情報処理手段により生成された前記種類の異なる情報に基づいて、該情報を出力装置により出力させる出力処理手段と、
音を構成する為の所定の音構成情報が記憶された音構成記憶部を有する音構成処理手段と、
を備える情報出力装置であって、
前記音構成処理手段は、前記出力装置から出力させる情報を決定し、該情報に対応する前記情報処理手段に対して、前記生成した情報を、前記出力処理手段へ出力するように指示し、かつ、前記音構成記憶部に記憶された前記所定の音構成情報に基づいて、前記情報が前記出力装置により出力されるように、前記出力処理手段に対して指示し、
前記複数の情報処理手段により出力される前記情報は、共通のインターフェイス部を介して、前記出力処理手段に入力される、ことを特徴とする情報出力装置であってもよい。
【００１３】
この一態様によれば、複数の情報処理手段により出力される情報は、共通のインターフェイス部を介して、出力処理手段に入力される。これにより、新たに音を生成する情報処理手段が当該装置に追加された場合でも、出力処理手段の変更する必要がない。したがって、種類の異なる情報を出力させる情報出力装置の拡張性を向上させることができる。
【００１４】
この一態様において、前記音構成処理手段の前記音構成記憶部に記憶された前記所定の音構成情報は、出力される音の音質、出力される音の音量、及び出力される音の出力位置のうち、少なくとも１つを含む、こととしてもよい。これにより、所定の音質、音量、又は出力位置により、情報処理手段により生成された音を出力させることができる。
【００１５】
この一態様において、前記音構成処理手段の前記音構成記憶部には、前記所定の音構成情報が、複数記憶されていてもよい。これにより、複数の所定の音構成情報の中から対応する情報が選択され、当該情報に基づいて、適切な音が構成される。
【００１６】
この一態様において、前記音構成処理手段は、前記出力装置より出力させる音情報が選択される音選択部を更に有し、
前記音選択部により前記選択された前記音情報を、前記出力装置により出力させる情報として決定してもよい。これにより、ユーザは、出力装置により出力される音情報を容易に選択することができる。
【００１７】
この一態様において、前記出力装置は、例えば、音を出力する音出力装置である。
【００１８】
これら態様において、前記出力処理手段は、前記複数の情報処理手段により生成された前記種類の異なる音情報及び画像情報に基づいて、音と画像とを同期させて前記出力してもよい。これにより、音及び画像を適切に出力することができる。
【００１９】
これら態様において、前記情報処理手段により生成される前記種類の異なる情報は、例えば、テレビ情報、ナビゲーション情報、ブラウザ情報、及び、メディアプレーヤ情報のうち、少なくとも１つを含む、こととしてもよい。
【００２０】
これら態様において、当該装置は、例えば、車両に搭載される。
【発明の効果】
【００２１】
本発明によれば、種類の異なる情報を出力させる情報出力装置の拡張性を向上させることができる。
【発明を実施するための最良の形態】
【００２２】
以下、本発明を実施するための最良の形態について、添付図面を参照しながら実施例を挙げて説明する。
【００２３】
図１は、本発明の一実施例に係る情報処理装置のシステム構成の一例を示すブロック図である。本実施例に係る情報出力装置１０は、例えば、複数の種類の異なる画像情報及び音声情報を、出力する。
【００２４】
情報出力装置１０は、複数の情報処理部１と、出力処理部２と、画面構成処理部３と、音構成処理部４と、を備えている。
【００２５】
各情報処理部１は、夫々種類の異なる情報を生成する処理部１ａと、処理部１ａにより処理された情報を出力処理部２へ伝達する伝達部１ｂと、を有している。なお、処理部１ａの行う情報の生成には、情報の加工も含むものとする。
【００２６】
処理部１ａが生成する種類の異なる情報には、例えば、テレビ（ＴＶ）の情報、ナビゲーション情報（地図画像、音声案内等）、メディアプレーヤ（ＭｅｄｉａＰｌａｙｅｒ）情報（動画、音楽等）、ブラウザ情報（ＨＴＭＬ）、ＢＧＭ情報等、が含まれる。
【００２７】
なお、情報処理部１の数は、任意の数（１〜ｎ）だけ設定可能となっている。例えば、テレビ情報を生成する第１情報処理部１１と、メディアプレーヤ情報を生成する第２情報処理部１２と、ナビゲーション情報を生成する第３情報処理部１３と、が設定されている。
【００２８】
画面構成処理部３は、出力処理部２により情報が出力される画面の構成を行う。画面構成処理部３は、画面構成記憶部３ａと、構成処理部３ｂと、画像選択部３ｃと、を有している。
【００２９】
画面構成記憶部３ａは、画面を構成する為の所定の画面構成情報３１、３２、３３が複数（例えば、３つ）記憶されている。所定の画面構成情報３１、３２、３３は、例えば、画面上に画像情報を出力される際の、画面上における画像を出力させる相対位置、画像の大きさ等の出力画面のレイアウト情報が含まれる。
【００３０】
具体的には、レイアウト情報として、表示画面上において、テレビ画像を表示させる位置及び大きさ、ナビゲーションの地図画像を表示させる位置及び大きさ、テレビ画像上に表示させるタッチスイッチの位置及び大きさ、等が該当する。
【００３１】
所定の画面構成情報３１、３２、３３の数は、任意の数（１〜ｎ）だけ設定可能となっている。例えば、テレビ画像のレイアウト情報が記憶された第１画面構成情報３１と、メディアプレーヤ画像のレイアウト情報が記憶された第２画像構成情報３２と、ナビゲーション画像のレイアウト情報が記憶された第３画面構成情報３３と、が設定されている。
【００３２】
画像選択部３ｃは、出力処理部２により出力させる、情報処理部１の情報と、その情報処理部１に対応する所定の画像構成情報３１、３２、３３と、を選択する。なお、画像選択部３ｃ及び後述の音選択部４ｃは、ユーザによるスイッチ（任意のディスプレイの画面に表示されたタッチパネル上のスイッチ等）、ポインティングデバイス等の入力装置５の操作により出力される操作信号に基づいて、上記選択を行なってもよい。
【００３３】
構成処理部３ｂは、画像選択部３ｃによる選択（例えば、テレビ情報）に基づいて、情報処理部１及び出力処理部２に対して、処理要求を行う。具体的には、構成処理部３ｂは、出力処理部２に対して、その選択（例えば、テレビ情報）に対応する所定の画像構成情報（例えば、第１画像構成情報）３１を送信する。
【００３４】
構成処理部３ｂは、その選択（例えば、テレビ情報）に対応する情報処理部（例えば、第１情報処理部）１１に対して、当該情報処理部１１が生成した情報を出力処理部２に出力するように、指示する。
【００３５】
音構成処理部４は、出力処理部２により情報が出力される音の構成を行う。音構成処理部４は、音構成記憶部４ａと、構成処理部４ｂと、音選択部４ｃと、を有している。
【００３６】
音構成記憶部４ａは、音を構成する為の所定の音構成情報４１、４２、４３が複数（例えば、３つ）記憶されている。所定の音構成情報４１、４２、４３は、例えば、出力される音情報の音質、音量、及び音情報を出力させる出力位置のうち、少なくとも１つを含む。
【００３７】
より具体的には、出力される音情報の音質として、男性、女性等の声質、テンポ、イントネーション等を指す。また、音情報を出力させる出力位置として、車両内に配設された複数のスピーカのうち、いずれのスピーカ（車両前側又は後側のスピーカのみ、運転席近傍のみ等）により音情報を出力させるかという出力位置を指す。
【００３８】
所定の音構成情報４１、４２、４３の数は、任意の数（１〜ｎ）だけ設定可能となっている。例えば、テレビ音声の音構成情報が記憶された第１音構成情報４１と、メディアプレーヤ音声の音構成情報が記憶された第２音構成情報４２と、ナビゲーション音声の音構成情報が記憶された第３音構成情報４３と、が設定されている。
【００３９】
音選択部４ｃは、出力処理部２により出力させる、情報処理部１の情報と、その情報処理部１に対応する所定の音構成情報４１、４２、４３と、を選択する。
【００４０】
出力処理部２は、情報処理部１から出力される画像情報と、画面構成処理部３からの所定の画面構成情報３１、３２、３３と、に基づいて、表示装置６に対して、表示させる画像情報を出力する。なお、表示装置６として、例えば、液晶ディスプレイ、ＬＥＤディスプレイ、プラズマディスプレイ、等を用いることが可能である。
【００４１】
また、出力処理部２は、情報処理部１から出力される音情報と、音構成処理部４からの所定の音構成情報４１、４２、４３と、に基づいて、音出力装置７に対して、音を出力させる。なお、音出力装置７として、例えば、車両に配設されたスピーカ装置を用いることが可能である。
【００４２】
出力処理部２は、画面表示処理部２ａと、音声出力処理部２ｂと、記憶部２ｃと、共通インターフェイス部２ｄと、を有している。
【００４３】
画面表示処理部２ａは、画面構成処理部３から所定の画面構成情報３１、３２、３３を受信すると、記憶部２ｃ内において、当該所定の画面構成情報３１、３２、３３に対応する情報処理部１が生成した画像情報を記憶する為の記憶領域を確保する。
【００４４】
情報処理部１の伝達部１ｂは、処理部１ａにより生成された画像情報を出力処理部２の共通インターフェイス部２ｄを介して、画面表示処理部２ａに伝達する。画面表示処理部２ａは、共通インターフェイス部２ｄを介して伝達された情報処理部１の画像情報を、記憶部２ｃ内に確保した記憶領域に記憶させる。
【００４５】
出力処理部２の画面表示処理部２ａは、記憶部２ｃ内の記憶領域に記憶された情報処理部１の画像情報（例えば、テレビ画像）と、画面構成処理部３からの所定の画面構成情報（画面上の表示位置、表示の大きさ）３１、３２、３３と、に基づいて、表示装置６の画面上に情報処理部１により生成された画像を表示させる。
【００４６】
音声出力処理部２ｂは、音構成処理部４からの所定の音構成情報４１、４２、４３を受信すると、記憶部２ｃ内において、当該所定の音構成情報４１、４２、４３に対応する情報処理部１が生成した音情報を記憶する為の記憶領域を確保する。
【００４７】
情報処理部１の伝達部１ｂは、処理部１ａにより生成された音情報を出力処理部２の共通インターフェイス部２ｄを介して伝達された情報処理部１の音情報を、記憶部２ｃ内に確保した記憶領域に記憶させる。
【００４８】
出力処理部２の音出力処理部２ｂは、記憶部２ｃ内の記憶領域に記憶された情報処理部１の音情報（例えば、テレビ音声）と、音構成処理部４からの所定の音構成情報（例えば、音量、音質、出力させるスピーカの位置）４１、４２、４３と、に基づいて、情報処理部１により生成された音情報を音出力装置７により出力させる。
【００４９】
なお、画面表示処理部２ａと音出力処理部２ｂとは、必要に応じて、同期して夫々の情報を出力させる。例えば、画面表示処理部２ａは、表示装置６の画面上にテレビ画像を表示させ、このテレビ画像に同期して、音出力処理部２ｂは音出力装置７にテレビ音声を出力させる。
【００５０】
次に、本実施例に係る情報出力装置１０の制御処理フローの一例を説明する。図２は、本実施例に係る情報出力装置１０の制御処理フローの一例を示すフローチャートである。
【００５１】
例えば、入力装置５を介して、情報出力装置１０によるテレビ情報の出力が選択されると（Ｓ１００）、画面構成処理部３の画像選択部３ｃは、テレビ情報を出力させる情報として決定し、構成処理部３ｂに対して当該決定の指示を行う（Ｓ１１０）。
【００５２】
画面構成処理部３の構成処理部３ｂは、画面構成記憶部３ａに記憶された第１画面構成情報（例えば、画面上におけるテレビ画像の表示位置、表示の大きさ）３１を、出力処理部２の画面表示処理部２ａに対して送信する（Ｓ１２０）。画面表示処理部２ａは、第１画面構成情報３１を受信すると、記憶部２ｃにテレビ画像を記憶する為の記憶領域を確保する（Ｓ１３０）。
【００５３】
さらに、画面構成処理部３の構成処理部３ｂは、例えば、第１情報処理部１１の処理部１ａに対して、テレビ画像を生成するように指示を行う（Ｓ１４０）。
【００５４】
第１情報処理部１１の処理部１ａは、生成したテレビ画像を、伝達部１ｂを介して出力処理部２の共通インターフェイス部２ｄに伝達する。また、共通インターフェイス部２ｄは、伝達されたテレビ画像を画面表示処理部２ａに伝達する。さらに、画面表示処理部２ａは、上記予め確保した記憶部２ｃの記憶領域に、第１情報処理部１１からのテレビ画像を記憶させる（Ｓ１５０）。
【００５５】
出力処理部２の画面表示処理部２ａは、記憶部２ｃの記憶領域に記憶されたテレビ画像と、画面構成処理部３の構成処理部３ｂから送信された第１画面構成情報３１と、に基づいて、表示装置６に対して、出力信号を送信する。表示装置６は構成処理部３ｂからの出力信号に基づいて、例えば、表示画面上において、指示された位置及び大きさで、テレビ画像を表示させる（Ｓ１６０）。
【００５６】
一方、入力装置５を介して、情報出力装置１０によるテレビ情報の出力が選択されると（Ｓ１００）、音構成処理部４の音選択部４ｃは、テレビ情報を出力させる情報として決定し、構成処理部４ｂに対して当該決定の指示を行う。音構成処理部４の音選択部４ｃは、テレビ情報を出力させる情報として決定し、構成処理部４ｂに対して当該決定の指示を行う（Ｓ１７０）。
【００５７】
音構成処理部４の構成処理部４ｂは、音構成記憶部４ａに記憶された例えば、第１音構成情報（音量、音質、出力させるスピーカの位置等）４１を、出力処理部２の音出力処理部２ｂに対して送信する（Ｓ１８０）。音出力処理部２ｂは、第１音構成情報４１を受信すると、記憶部２ｃにテレビ音声を記憶する為の記憶領域を確保する（Ｓ１９０）。
【００５８】
さらに、音構成処理部４の構成処理部４ｂは、例えば、第１情報処理部１１の処理部１ａに対して、テレビ情報を生成するように指示を行う（Ｓ２００）。
【００５９】
第１情報処理部１１の処理部１ａは、生成したテレビ音声を、伝達部１ｂを介して出力処理部２の共通インターフェイス部２ｄに伝達する。また、共通インターフェイス部２ｄは、伝達されたテレビ音声を音出力処理部２ｂに伝達する。さらに、音出力処理部２ｂは、上記予め確保した記憶部２ｃの記憶領域に、第１情報処理部１１からのテレビ音声を記憶させる（Ｓ２１０）。
【００６０】
出力処理部２の音出力処理部２ｂは、記憶部２ｃの記憶領域に記憶されたテレビ音声と、音構成処理部４の構成処理部４ｂから送信された第１音構成情報４１と、に基づいて、スピーカ等の音出力装置７に対して、出力信号を送信する。音出力装置７は、音出力処理部２ｂからの出力信号に基づいて、例えば、指示された音量、音質、及び指示された位置のスピーカからテレビ音声を出力させる。なお、出力処理部２の画面表示処理部２ａと音出力処理部２ｂとは、同期して、表示装置６にテレビ画像を表示させ、音出力装置７にテレビ音声を出力させる（Ｓ２２０）。
【００６１】
以上、本実施例に係る情報出力装置１０において、複数の情報処理部１により生成された種類の異なる情報は、全て共通インターフェイス部２ｄを介して、出力処理部２の画面表示処理部２ａ又は音出力処理部２ｂに伝達される。これにより、例えば、新たに別の情報処理部１が追加された場合でも、出力処理部２を変更する必要がない。したがって、種類の異なる情報を出力させる情報出力装置１０の拡張性を向上させることができる。
【００６２】
また、この場合、新たに情報処理部１が追加された場合でも、例えば、ソフトウェアの流用が可能となる為、汎用性が向上しコスト低減に繋がる。
【００６３】
さらに、出力処理部２と、画面構成処理部３及び音構成処理部４と、を独立させて設けることで、より柔軟な画面構成及び音構成、及びこれらの組合せが可能となり、設計の自由度が向上する。
【００６４】
なお、出力処理部２、画面構成処理部３、及び音構成処理部４を分けることで、これらを並列して開発が可能となる為、情報出力装置１０の開発期間を短縮することができる。
【００６５】
以上、本発明を実施するための最良の形態について一実施例を用いて説明したが、本発明はこうした一実施例に何等限定されるものではなく、本発明の要旨を逸脱しない範囲内において、上述した一実施例に種々の変形及び置換を加えることができる。
【００６６】
例えば、上記一実施例に係る情報出力装置１０において、音構成処理部４が無い構成、すなわち、画面構成処理部３のみを備える構成も適用可能である（図３）。
【００６７】
上記一実施例に係る情報出力装置１０において、画面構成処理部３が無い構成、すなわち、音構成処理部４のみを備える構成も適用可能である（図４）。
【００６８】
上記一実施例に係る情報出力装置１０は、例えば、車両に搭載されてもよい。
【産業上の利用可能性】
【００６９】
本発明は、例えば、テレビ情報、ナビゲーション情報、メディアプレーヤ情報等の複数の情報を出力する情報出力装置に利用できる。
【図面の簡単な説明】
【００７０】
【図１】本発明の一実施例に係る情報処理装置のシステム構成の一例を示すブロック図である。
【図２】本発明の一実施例に係る情報出力装置の制御処理フローの一例を示すフローチャートである。
【図３】本発明の一実施例に係る情報出力装置において、音構成処理部が無い構成の一例を示す図である。
【図４】本発明の一実施例に係る情報出力装置において、画面構成処理部が無い構成の一例を示す図である。
【符号の説明】
【００７１】
１    情報処理部
２    出力処理部
２ｄ  共通インターフェイス部
３    画面構成処理部
４    音構成処理部
５    入力装置
６    表示装置
７    音出力装置
１０    情報出力装置
３１、３２、３３    所定の画面構成情報
４１、４２、４３    所定の音構成情報
【図１】
2007293609.tif 000003
【図２】
2007293609.tif 000004
【図３】
2007293609.tif 000005
【図４】
2007293609.tif 000006